(57)【要約】【課題】操作部を把持してノズル管の先端側に設けた噴頭部のノズルから薬液を噴出させて散布作業を行っているときの、ノズルからの薬液の噴出方向の変更が、作業を中断することなく、かつ、袋ナットの緩めと締結の操作を要さずに、簡単な操作で行えるようになる。【解決手段】噴霧竿状の薬液の散布装置において、ノズル管ｂの先端側には、雄ネジ金具ｗを小径の軸筒部４０と拡径筒部４１とを、突出方向に並列させて突設し、この軸筒部４０と拡径筒部４１とを、拡径筒部４１の外周面にＯリング５を嵌装してノズル管ｂの先端側の管内に嵌挿し、ノズル管ｂの先端側の管周壁に絞り成形加工を施して、雄ネジ金具ｗをノズル管ｂの先端側に回転可能に取り付け、この雄ネジ金具ｗに噴頭部ｃを取り付ける。【選択図】        図６
2004148160.tif 000002
【特許請求の範囲】
【請求項１】
外周側に把持部１１と内部に設けた弁機構を作動させる操作レバー１２とを設けた操作部ａとノズル管ｂと外周側にノズル３２を取り付けた噴頭部ｃとを継ぎ合わせるように接続した噴霧竿状の薬液の散布装置において、ノズル管ｂの先端側には、噴頭部ｃの取付用の雄ネジ金具ｗを、それの基端側に、ノズル管ｂの内径よりも小径の軸筒部４０とノズル管ｂの内径に対応する外径の拡径筒部４１とを、突出方向に並列させて突設し、この軸筒部４０と拡径筒部４１とを、それの拡径筒部４１の外周面にＯリング５を嵌装してノズル管ｂの先端側の管内に嵌挿し、そのノズル管ｂの先端側の管周壁の軸筒部４０と対応する部位に絞り成形加工を施して、雄ネジ金具ｗをノズル管ｂの先端側に回転可能に取り付け、この雄ネジ金具ｗに噴頭部ｃを取り付けてなる薬液の散布装置。
【発明の詳細な説明】
【０００１】
【発明が属する技術分野】
本発明は、竿状に形成した機体の手元側に、自在に機体を操作するための把持部と、手動または動力でポンプを圧縮作動させる噴霧機の吐出管に対し接続ホースで接続する接続口と、その接続ホースにより導かれる薬液の流れを制御する操作レバーを設け、先端側には、竿状の機体の内腔の導管路を介して送出される薬液を噴霧する噴頭を設ける形態の薬液の散布装置についての改良に関する。
【０００２】
【従来の技術】
上述の形態の薬液の散布装置Ａは、従前のものにあっては、通常、図１にあるように、手元側の操作部ａと中間のノズル管ｂと先端側の噴頭部ｃとを継ぎ合わせるように接続して、いわゆる噴霧竿の形態に形成してある。
【０００３】
この散布装置Ａを構成する操作部ａ・ノズル管ｂ・噴頭部ｃは、操作部ａにあっては、それの内部に導管路を設けて、その導管路の外端側に、手動または動力によりポンプを圧縮作動させて薬液を吐出する噴霧機の吐出口に対し送液ホースＨを介して接続させるための接続口１０を設け、外面側には、手の掌で握り込める把持部１１および前記内部の導管路に組み込んでおく弁機構を作動させる操作レバー１２を設けて、把持部１１を手で握って操作し、かつ、操作レバー１２を把持部１１を握った手の指で操作して弁機構を制御するよう構成してある。
【０００４】
また、中間のノズル管ｂにあっては、図２にあるように、それの基端側に設けてある接続口２ａを、前記操作部ａの先端側に露出させて設けた導管路の先端側の接続口１０に接合して、そのノズル管ｂの基端側に嵌挿しておく袋ナット２０を接続口１０の外周に設けた雄ネジに締着することで操作部ａに対し接続して継ぎ合わせ、先端側には、噴頭部ｃの基端に設けた雌ネジ３０に螺合するスリーブ付きの雄ネジ２１を嵌挿しておいて、ノズル管ｂの先端の接続口を噴頭部ｃの基端側の接合口に接合した状態から、このスリーブ付きの雄ネジ２１を噴頭部ｃの雌ネジ３０に螺合して締結していくことで、噴頭部ｃに接続・連結するようにしてある。
【０００５】
また、噴頭部ｃにあっては、それのボディに枝管状のノズル取付口３１を設けておき、これにノズル３２を螺合して取り付けるようにしている。
【０００６】
そして、これにより、操作部ａの外端の接続口に、噴霧機の吐出口に接続する送液ホースＨに接続させた状態において、その操作部ａの把持部１１を手で持ち、送液ホースＨを手繰り出しながら先端の噴頭部ｃを所定の場所に位置させて、操作レバー１２を操作することで先端の噴頭部ｃに設けたノズル３２から噴出する薬液をそのノズル３２が向かう方向に噴霧していくようにしている。
【０００７】
そして、この噴霧作業において、先端の噴頭部ｃのノズル３２からの薬液の噴霧方向を、例えば、図１にあるように、操作部ａを握り込む操作レバー１２が下面側に位置する状態で、先端の噴頭部ｃに取り付けたノズル３２からの薬液の噴出方向が上方に向かう方向となっている状態から、側方または下方に向かう方向となるように、変更する場合には、ノズル管ｂの基端の袋ナット２０の締め付けを緩めて、ノズル管ｂを操作部ａに対して回転させ、これによりノズル管ｂの先端に接続・連結している噴頭部ｃを一緒に回転させて、それに取り付けてあるノズル３２が横方向または下方に向かう状態とすることで行うようにしている。
【０００８】
【発明が解決しようとする課題】
上述の形態の薬液の散布装置Ａは、手元側の操作部ａの把持部１１を手で把持して、ノズル管ｂ先端の噴頭部ｃのノズル３２から噴出する薬液を、植物体の病害虫の駆除を行うべき個所に散布していく散布作業を行う際に、ノズル３２からの薬液の吐出方向の変更調節をするのが厄介な問題がある。
【０００９】
これは、このノズル３２からの薬液の吐出方向を変更するには、薬液の散布作業を一たん停め、操作レバー１２の操作によって、弁機構を閉弁位置に切り換えて、薬液の送り出しを操作部ａ内において遮断し、その状態において、ノズル管ｂの基端側の袋ナット２０の締め付けを緩めて、ノズル管ｂを操作部ａに対し所望の角度回転させ、それによりノズル３２の薬液を吐出する方向を変更した後に、袋ナット２０を締め付けて、ノズル管ｂを操作部ａの導管路に対し接続連通させ、その状態から操作レバー１２の操作により弁機構を開弁し、これにより散布作業を再開するという面倒な工程を要すること、しかも、散布作業を一たん停止しなければならないことから作業能率の低下をもたらすようになること、さらに、噴頭部ｃのノズル３２からの薬液の吐出方向の変更を、弁機構の閉弁により導管路を遮断して行うことから、ノズル３２の噴頭部ｃからの突出方向を変更させただけにとどまり、弁機構を開弁して実際に薬液を吐出させたときに、ノズル３２からの薬液の噴射方向が、望んだ方向とは異なる場合があり、そのための微調整には、もう一度同じ工程を繰り返さなければならない、という問題である。
【００１０】
本発明は、従前の薬液の散布装置に生じている上述の問題を解決するためになされたものであって、操作部を把持してノズル管の先端側に設けた噴頭部のノズルから薬液を噴出させて散布作業を行っているときの、ノズルからの薬液の噴出方向の変更が、作業を中断することなく、かつ、袋ナットの緩めと締結の操作を要さずに、簡単な操作で行え、しかも、噴頭部のノズルの噴射方向の微調整が薬液を噴射させている状態で行えるようにする新たな手段を提供することを目的とする。
【００１１】
【課題を解決するための手段】
本発明においては、把持部とノズル管と噴頭部とを接続連結して噴霧竿状の薬液の散布装置を構成する際、把持部とノズル管の基端との接続・連結は、従前手段のように、袋ナットを用いてもよいが、ノズル管の先端に設ける雄ネジ金具を噴頭部の基端側に設ける雌ネジに螺合することで行うノズル管と噴頭部との連結部については、ノズル管と噴頭部との連結が行われた状態において、噴頭部がノズル管に対してノズル管の軸心線中心に、所望の角度量の回転が可能となり、かつ、回転した状態位置に保定されるようにする。
【００１２】
このために、ノズル管の先端側に設ける雄ネジ金具は、それの基端側にノズル管の内径りより小径とした軸筒部を連続させて設け、その軸筒部の基端側に外径がノズル管の内径に対応するよう拡径した拡径筒部を連続させて設け、この拡径筒部の外周面にＯリングの嵌合溝を形設して、ここにＯリングを嵌装しておく。
【００１３】
また、この雄ネジ金具を先端側に設けるノズル管は、絞り加工を可能とする金属材により所定の内径の管に成形しておく。
【００１４】
そして、このノズル管の先端側の開口端部の内腔に、前述の雄ネジ金具の基端側に形設した拡径筒部と軸筒部とを嵌挿し、拡径筒部の外周に嵌装したＯリングの外周面をノズル管の内周面に圧接させて、これによりノズル管の内腔と雄ネジ金具の内腔とを外部に対する水密を保持させた状態として接続する。
【００１５】
次いで、この状態において、ノズル管の先端側に、それを雄ネジ金具の軸筒部の外周面に向け絞り込む絞り加工の成形加工を施し、この加工で、ノズル管の先端部が雄ネジ金具の拡径筒部を抱え込むようにし、雄ネジ金具をノズル管に対しそれの軸心線中心とする回転が許容された状態で連結するようにし、この回転が、前述の水密保持用のＯリングの接触面の摩擦抵抗によって規制を受けるようにする。
【００１６】
そして、これにより、噴頭部は、それに、ノズル管の軸心線中心とする周方向の負荷を加えることで、Ｏリングの接触面の摩擦抵抗に抗して回転し、その負荷の解放で再び摩擦抵抗により回転した位置に保持されるようになって、この噴頭部のノズル管に対する回転で、噴頭部に取り付けてあるノズルの薬液の噴射方向の変更が行われるようにする。
【００１７】
この手段によれば、噴頭部に取り付けたノズルからの薬液の噴射方向を、所定の姿勢に把持した把持部を基準に所望の方向に変更するのが、散布作業を中断することなく、噴頭部を回転させるだけの簡略な操作で行えるようになる。
【００１８】
【発明の実施の形態】
次に本発明の実施の態様を、図示する実施例について、図面に随い詳述する。実施例の説明に用いる符号は、従来手段のものと同じ構成の部材については、同一の符号を用いるものとする。
【００１９】
図３は、本発明手段を実施せる薬液の散布装置Ａの全体の側面図で、同図において、ａは操作部、ｂはノズル管、ｃは噴頭部を示す。
【００２０】
把持部ａは、図１および図２に示している従前の噴霧竿の形態の薬液の散布装置Ａにおける操作部ａと同様に構成してよいものであり、内部に導管路を具備する筒状のボディ１を成形し、そのボディ１の外端側には、前記内部の導管路を、別体の噴霧機の薬液の吐出口に送液ホースＨを介して接続させるための接続口１０を設け、そのボディ１の外周には把持部１１を形成し、ボディ１の内部には、前記接続口１０から導入する薬液の流れを制御する弁機構を組み込み、この弁機構の閉弁および開弁の作動を操作する操作レバー１２を、ボディ１の下面側に配位して支軸１３により回動するよう軸支し、ボディ１の内端側にはノズル管ｂの基端と接続する接合口とノズル管ｂ接続用の雄ネジ１４とを設けて構成している通常の形態のものである。
【００２１】
ノズル管ｂは、金属材で竿状のパイプを成形し、それの基端側の開口端を前述の操作部ａの内端側に設けた接合口に接合して、基端側の外周に予め嵌挿しておくナット２３を、操作部ａの内端の雄ネジ１４に螺合して締結することで操作部ａに接続して継ぎ合わせる通常のものであるが、先端側に装備せしめる噴頭部ｃの接続用の雄ネジ金具ｗを、このノズル管ｂの絞り成形加工により取り付け保持せしめるために、この絞り成形加工を可能とするように材質および肉厚が選定され設定してある。
【００２２】
そして、このノズル管ｂの先端に、噴頭部ｃの取付用に装備せしめる雄ネジ金具ｗは、図５および図６にあるように、基端側にはノズル管ｂの内径よりも外径が少し小径となる軸筒部４０を連続させて設け、それの外端側にノズル管ｂの内径に対応する外径の拡径筒部４１をさらに連続させて形設し、かつ、拡径筒部４１の外周面には、Ｏリング５を嵌装する環状溝４２を形設した構造のものに成形してある。
【００２３】
そしてまた、この雄ネジ金具ｗとノズル管ｂとの連結は、雄ネジ金具ｗの軸筒部４０とそれに連続する拡径筒部４１とを、それの拡径筒部４１の外周の環状溝４２内にＯリング５を嵌装した状態として、ノズル管ｂの先端側の開口からそれの内腔に嵌挿し、その状態からノズル管ｂの先端側で軸筒部４０の外周側に位置する部位のノズル管ｂの管壁に、拡径筒部４１に対し縊れ込んだ軸筒部４０の外周面に向けて絞り込む絞り成形加工を施し、この加工によって、ノズル管ｂの管壁が、拡径筒部４１を、小径の軸筒部４０の周面で形成する頸部に抱え込むようにして、この雄ネジ金具ｗをノズル管ｂの先端部に回転を許容する状態として連結保持せしめ、これにより、この雄ネジ金具ｗが、Ｏリング５によって外部との水密が保持された状態で、ノズル管ｂの内腔に対し接続連通し、かつ、この水密を保持するＯリング５の接触面の摩擦力でノズル管ｂに対する回転が規制されて所定の回転位置に保持され、回転方向に負荷を与えることで回転が可能となるようにしてある。
【００２４】
噴頭部ｃは、中空に形成して内部に導管路を装備せしめたボディの基端側に、ノズル管ｂの先端の接続口と接続する接続口およびノズル管の先端側に設ける雄ネジ金具ｗに螺合して該噴頭部ｃをノズル管ｂに接続するための雌ネジ３０とを設け、外周面には内部の導液路に通ずるノズル取付口３１・３１を枝管状に設けて、これらにノズル３２をそれぞれに螺合して取り付けることで、ノズル管ｂにセットされるようにしてあるもので、それの前記雌ネジ３０をノズル管ｂの雄ネジ金具ｗに締結してノズル管ｂに接続したときに、ノズル３２からの薬液の噴射方向が、例えば、図３にあるように、把持部ａに設けた操作レバー１２に対し反対の上向きとなるよう、操作部ａの姿勢を基準とした所定の方向にセットされるようになる通常のものであり、従来のものと同様に構成してよいものである。
【００２５】
これらにより組み立てられる薬液の散布装置Ａは、操作部ａを把持した一方の手で操作レバー１２を一緒に握り込んで弁機構を作動させ、薬液を噴頭部ｃのノズル３２から噴射させて散布作業を行っているときに、噴頭部ｃを他方の手で所望の角度量だけ回動させれば、ノズル３２からの薬液の噴射方向が、例えば、図７にあるように下向きとなって、操作部ａの姿勢を基準に所望の方向に変更されるようになる。
【００２６】
【発明の効果】
以上説明したように、本発明手段においては、ノズル管ｂの先端側に取り付けてある噴頭部ｃが、ノズル管ｂに対しＯリング５により水密に保持させた状態で回転自在に接続し、かつ、その水密を保持するＯリング５の接触面の摩擦により所望の回転位置に保定されるようにしているのだから、薬液の散布作業中に、噴頭部ｃをノズル管ｂに対し回転させてやることで、噴頭部ｃに取り付けたノズル３２からの薬液の噴射方向の変更調節が行えるようになる。
【図面の簡単な説明】
【図１】従前の噴霧竿の形態の薬液の散布装置の側面図である。
【図２】同上のノズル管の側面図である。
【図３】本発明手段による噴霧竿の形態の薬液の散布装置の側面図である。
【図４】同上のノズル管の側面図である。
【図５】同上のノズル管の先端部分の、雄ネジ金具を取り付ける前の状態における一部破断した側面図である。
【図６】同上のノズル管の先端部分の、雄ネジ金具をノズル管の絞り成形加工により取り付けた状態における一部破断した側面図である。
【図７】本発明手段による噴霧竿の形態の薬液の散布装置の、噴頭部の回転によりノズルの噴射方向を下向きとした状態の側面図である。
【符号の説明】
Ａ…散布装置、Ｈ…送液ホース、ａ…操作部、ｂ…ノズル管、ｃ…噴頭部、ｗ…雄ネジ金具、１…ボディ、１０…接続口、１１…把持部、１２…操作レバー、１３…支軸、１４…雄ネジ、２ａ…接続口、２０…袋ナット、２１…雄ネジ、２３…ナット、３０…雌ネジ、３１…ノズル取付口、３２…ノズル、４０…軸筒部、４１…拡径筒部、４２…環状溝、５…Ｏリング。
【図１】
2004148160.tif 000003
【図２】
2004148160.tif 000004
【図３】
2004148160.tif 000005
【図４】
2004148160.tif 000006
【図５】
2004148160.tif 000007
【図６】
2004148160.tif 000008
【図７】
2004148160.tif 000009